(57)【要約】【課題】発行処理を完了した発行ジョブについても、処理結果を後から容易に確認できる発行ジョブ情報管理装置及び管理方法を提供する。【解決手段】発行完了ジョブ情報登録部１４０は、発行中ジョブの発行処理が完了すると、これを発行完了ジョブとして、発行中ジョブ情報管理部１３０で保存されていた当該ジョブに係る情報を発行完了ジョブリスト１４１に登録する。発行完了ジョブリスト１４１に登録される情報は、発行待ちジョブ情報登録部１２０で登録されていた情報と、発行中ジョブ情報管理部１３０で保存されていた情報とで構成されている。発行ジョブ情報処理部１１０は、ユーザからの要求に従って、発行待ちジョブ情報登録部１２０あるいは発行完了ジョブ情報登録部１４０で登録された情報を表示部１５０に表示させる。【選択図】図３
2008171102.tif 000002
【特許請求の範囲】
【請求項１】
記録媒体発行用デバイス（以下では、単に発行用デバイスという）を用いて空き記録媒体にデータ書き込み及びラベル印刷あるいはそのいずれか一方の発行処理を行って記録済みの記録媒体を発行するジョブ（以下では、単に発行ジョブという）を管理する発行ジョブ情報管理装置であって、
前記発行処理を実行中の前記発行ジョブ（以下では発行中ジョブという）に係る情報として、少なくとも前記発行処理に使用中の前記発行用デバイスの情報を保存するとともに、前記発行処理の完了前に前記発行用デバイスにエラーが発生するとそのエラー情報を保存する発行中ジョブ情報管理部と、
前記発行中ジョブの前記発行処理が完了すると、発行完了ジョブの情報として前記発行中ジョブ情報管理部で保存された前記発行中ジョブに係る情報を所定の発行完了ジョブリストに登録する発行完了ジョブ情報登録部と、
前記発行完了ジョブ情報登録部により登録された前記発行完了ジョブリストから、指定された前記発行完了ジョブに係る前記情報を読み出して表示する発行ジョブ情報処理部と、を備える
ことを特徴とする発行ジョブ情報管理装置。
【請求項２】
前記エラー情報には少なくとも前記エラーが発生した前記発行用デバイスの機器名とエラー種別を含み、
前記発行ジョブ情報処理部は、前記指定された発行完了ジョブに係る前記エラー情報が前記発行完了ジョブリストに登録されているときには、前記発行完了ジョブが完了した時点における前記発行用デバイスの作動状態を前記エラー種別に基づいて判定して表示する
ことを特徴とする請求項１に記載の発行ジョブ情報管理装置。
【請求項３】
前記発行ジョブ情報処理部は、前記発行処理のうち未完了の処理情報を前記エラー情報をもとに判定して表示する
ことを特徴とする請求項１又は請求項２に記載の発行ジョブ情報管理装置。
【請求項４】
さらに、前記発行処理を実行待ちの前記発行ジョブ（以下では発行待ちジョブという）に係る情報を所定の発行待ちジョブリストに登録する発行待ちジョブ情報登録部を備え、
前記発行待ちジョブ情報登録部で登録された前記発行待ちジョブのいずれかの前記発行処理が開始されると、前記発行中ジョブ情報管理部は、前記発行処理が開始された前記発行待ちジョブに係る前記情報を前記発行待ちジョブリストから読み込んで保存する
ことを特徴とする請求項１から請求項３のいずれか１項に記載の発行ジョブ情報管理装置。
【請求項５】
前記発行ジョブ情報処理部は、前記発行待ちジョブ情報登録部で登録された前記発行待ちジョブに係る情報と、前記発行完了ジョブ情報登録部で登録された前記発行完了ジョブに係る情報との、いずれか一方を選択して表示する選択表示手段を備える
ことを特徴とする請求項４に記載の発行ジョブ情報管理装置。
【請求項６】
前記発行ジョブ情報処理部は、前記発行完了ジョブに係る前記エラー情報が前記発行完了ジョブリストに登録されているときは、記発行待ちジョブ情報登録部で登録された前記発行待ちジョブに係る情報をもとに前記発行処理に必要な発行用デバイスを特定し、前記特定された発行用デバイスの情報とそれまでに実行済みの前記発行完了ジョブの前記発行完了ジョブリストに登録された情報とから、前記エラーの原因を判定して表示する
ことを特徴とする請求項４に記載の発行ジョブ情報管理装置。
【請求項７】
発行用デバイスを用いて空き記録媒体にデータ書き込み及びラベル印刷あるいはいずれか一方の発行処理を行って記録済みの記録媒体を発行する発行ジョブを管理する発行ジョブ情報管理方法であって、
前記発行処理を実行中の前記発行ジョブである発行中ジョブに係る情報として、少なくとも前記発行処理に使用中の前記発行用デバイスの情報を保存するとともに、前記発行処理の完了前に前記発行用デバイスにエラーが発生するとそのエラー情報を保存する発行中ジョブ情報管理ステップと、
前記発行中ジョブの前記発行処理が完了すると、これを発行完了ジョブとして前記発行中ジョブ情報管理ステップで保存された前記発行中ジョブに係る情報を所定の発行完了ジョブリストに登録する発行完了ジョブ情報登録ステップと、
前記発行完了ジョブ情報登録ステップで登録された前記発行完了ジョブリストから、指定された前記発行完了ジョブに係る前記情報を読み出して表示する発行ジョブ情報処理ステップと、を有する
ことを特徴とする発行ジョブ情報管理方法。
【請求項８】
前記エラー情報には少なくとも前記エラーが発生した前記発行用デバイスの機器名とエラー種別を含み、
前記発行ジョブ情報処理ステップでは、前記指定された発行完了ジョブに係る前記エラー情報が前記発行完了ジョブリストに登録されているときには、前記発行完了ジョブが完了した時点における前記発行用デバイスの作動状態を前記エラー種別に基づいて判定して表示する
ことを特徴とする請求項７に記載の発行ジョブ情報管理方法。
【請求項９】
前記発行ジョブ情報処理ステップでは、前記発行処理のうち未完了の処理情報を前記エラー情報をもとに判定して表示する
ことを特徴とする請求項７又は請求項８に記載の発行ジョブ情報管理方法。
【請求項１０】
さらに、前記発行処理を実行待ちの前記発行ジョブである発行待ちジョブに係る情報を所定の発行待ちジョブリストに登録する発行待ちジョブ情報登録ステップを有し、
前記発行待ちジョブ情報登録ステップで登録された前記発行待ちジョブのいずれかの前記発行処理が開始されると、前記発行中ジョブ情報管理ステップにおいて、前記発行処理が開始された発行待ちジョブに係る前記情報を前記発行待ちジョブリストから読み込んで保存する
ことを特徴とする請求項７から請求項９のいずれか１項に記載の発行ジョブ情報管理方法。
【請求項１１】
前記発行ジョブ情報処理ステップでは、前記発行待ちジョブ情報登録ステップで登録された前記発行待ちジョブに係る前記情報と、前記発行完了ジョブ情報登録ステップで登録された前記発行完了ジョブに係る前記情報の、いずれか一方を選択して表示する
ことを特徴とする請求項１０に記載の発行ジョブ情報管理方法。
【請求項１２】
前記発行ジョブ情報処理ステップでは、前記発行完了ジョブに係る前記エラー情報が前記発行完了ジョブリストに登録されているときは、前記発行待ちジョブ情報登録ステップで登録された前記発行待ちジョブに係る情報をもとに前記発行処理に必要な発行用デバイスを判定し、前記特定された発行用デバイスの情報とそれまでに実行済みの前記発行完了ジョブの前記発行完了ジョブリストに登録された情報とから、前記エラーの原因を判定して表示する
ことを特徴とする請求項１０に記載の発行ジョブ情報管理方法。
【発明の詳細な説明】
【技術分野】
【０００１】
本発明は、記録媒体にデータ書き込み及びラベル印刷を行って記録済みの記録媒体を発行するジョブに係る情報を管理する発行ジョブ情報管理装置及び発行ジョブ情報管理方法に関するものであって、特に処理が完了したジョブについても発行処理時の状況を後から確認することが可能な発行ジョブ情報管理装置及び発行ジョブ情報管理方法に関するものである。
【背景技術】
【０００２】
従来、ＣＤやＤＶＤ等のような記録媒体のユーザは、記録媒体にデータを書き込む作業と、その保管・管理を容易に行えるようにするために、書き込んだデータの内容をラベル面や収納ケース等に表記しておく作業を別々に行っていた。また、この２つの作業をシームレスに行う装置も既に知られている。
【０００３】
ラベル面に表記する内容として、例えば書き込みデータを作成した日時、記録媒体にデータを書き込んだ日時、データの内容を表わすタイトル、ファイル名、データの作成者及び所属部署名などがある。このような記録媒体のラベル面への情報の記入は、記録媒体が少数の場合には手書きで行うことが多いが、記録媒体が多数ある場合や外部に提供したり販売用とする場合などでは、ラベル面に所定の情報を印刷する装置を用いたり、印刷されたラベルを添付する装置を用いるのが一般的である（例えば特許文献１）。
【０００４】
記録済みの記録媒体を発行するジョブでは、記録媒体にデータを書き込むための各種データ記録装置や、ラベルに所定事項を印刷するためのプリンタ等が用いられるが、例えば記録済みの記録媒体を大量に発行するための装置として、記録媒体へのデータ書き込みやラベル印刷を連続して行えるようデータ記録装置やプリンタを統括制御して自動化した装置も知られている。
【０００５】
例えば、大容量のＤＶＤにデータを書き込むのに、１枚あたり十分程度かかるジョブでは、これを５０枚発行するのに数時間かかってしまう。このようなジョブを人の監視のもとで複数行おうとすると、多大な手間とコストがかかってしまう。そこで、このような発行ジョブを機械化して省力化を図った装置が既に知られている。このような装置を用いることで、夜間自動的に複数の発行ジョブを処理することが可能となっている。
【０００６】
このように、複数のジョブを無人化して行う装置では、例えば１つのジョブでエラーが発生しても、可能な限り別のジョブを処理できるよう構成されている。また、発行中に発生したエラー情報は、ログ情報として保存されており、これを後から確認することによって、エラー発生を知ることが可能となっている。
【特許文献１】特開平１０−１２９６４０号公報
【発明の開示】
【発明が解決しようとする課題】
【０００７】
しかしながら、複数のジョブを無人化して行う装置では、１つのジョブでエラーが発生しても、可能な限り別のジョブを処理できるよう構成されているため、エラー発生で中断されたジョブが、後から中断されたことを容易に判断できなくなってしまう場合がある。例えば、記録済み記録媒体を５０枚発行するジョブにおいて、異常発生により４９枚で中断された場合に、このジョブが中断されていることに気づかないで正常に完了していると判断してしまう恐れが高い。
【０００８】
また、１つのジョブでエラーが発生しても、その後さらに別のジョブが実行されることから、エラー発生時の各発行用デバイスの状態が変化してしまい、あとからエラーの原因を究明するのが極めて困難になってしまうといった問題もあった。
【０００９】
従来のログ情報は、発生事項を時系列的に記録しているだけであり、ログ情報だけでは発行ジョブ自体が正常に完了したか、途中で中断されているか等を判断するのは容易ではない。すなわち、ログ情報では、エラーが発生した発行用デバイスと発生時刻及び簡単なエラー情報（例えば事前に設定されたエラー番号等）が記録されているだけであり、エラー発生時に実行中であったジョブの情報や、そのジョブで使用されていた発行用デバイス等の情報を、ログ情報から知ることは容易ではない。
【００１０】
さらに、ジョブがどのような構成で実行されたか、つまりどの発行用デバイスを用いて実行されたか等がログ情報からは容易に確認できないため、ログ情報に記録されているエラー発生がそのジョブの実行に影響したかを判断することができない。
【００１１】
そこで、本発明はこれらの問題を解決するためになされたものであり、処理を完了した発行ジョブについても、処理結果を後から容易に確認できる発行ジョブ情報管理装置及び管理方法を提供することを目的とする。
【課題を解決するための手段】
【００１２】
本発明の第１の態様にかかる発行ジョブ情報管理装置は、記録媒体発行用デバイス（以下では、単に発行用デバイスという）を用いて空き記録媒体にデータ書き込み及びラベル印刷あるいはそのいずれか一方の発行処理を行って記録済みの記録媒体を発行するジョブ（以下では、単に発行ジョブという）を管理する発行ジョブ情報管理装置であって、前記発行処理を実行中の前記発行ジョブ（以下では発行中ジョブという）に係る情報として、少なくとも前記発行処理に使用中の前記発行用デバイスの情報を保存するとともに、前記発行処理の完了前に前記発行用デバイスにエラーが発生するとそのエラー情報を保存する発行中ジョブ情報管理部と、前記発行中ジョブの前記発行処理が完了すると、発行完了ジョブの情報として前記発行中ジョブ情報管理部で保存された前記発行中ジョブに係る情報を所定の発行完了ジョブリストに登録する発行完了ジョブ情報登録部と、前記発行完了ジョブ情報登録部により登録された前記発行完了ジョブリストから、指定された前記発行完了ジョブに係る前記情報を読み出して表示する発行ジョブ情報処理部と、を備えることを特徴とする。
【００１３】
この態様によれば、各発行ジョブの発行処理に使用される発行用デバイスの情報とエラー情報とが一体に保存され、ジョブ完了後に発行完了ジョブ情報登録部により発行完了ジョブリストに登録されて保存されることにより、発行処理が完了したジョブの履歴を表示することが可能となる。特に、エラーが発生したジョブについては、エラー情報とともに発行処理に使用されていた発行用デバイスの情報も表示することが可能となることから、発行処理が正常に終了したか否かを容易に判断できるとともに、エラーの原因究明も容易に行えるようになる。
【００１４】
本発明の他の態様にかかる発行ジョブ情報管理装置は、前記エラー情報には少なくとも前記エラーが発生した前記発行用デバイスの機器名とエラー種別を含み、前記発行ジョブ情報処理部は、前記指定された発行完了ジョブに係る前記エラー情報が前記発行完了ジョブリストに登録されているときには、前記発行完了ジョブが完了した時点における前記発行用デバイスの作動状態を前記エラー種別に基づいて判定して表示することを特徴とする。
【００１５】
この態様によれば、エラーが発生した発行ジョブの完了後の発行用デバイスの状態を容易に確認できるようになるとともに、発生したエラーが他のジョブにも影響するかどうかを容易に判断できるようになる。
【００１６】
本発明の他の態様にかかる発行ジョブ情報管理装置は、前記発行ジョブ情報処理部は、前記発行処理のうち未完了の処理情報を前記エラー情報をもとに判定して表示することを特徴とする。
【００１７】
この態様によれば、エラー発生により発行処理を完了していない未完了情報を表示して容易に確認できるようにすることが可能となる。
【００１８】
本発明の他の態様にかかる発行ジョブ情報管理装置は、さらに、前記発行処理を実行待ちの前記発行ジョブ（以下では発行待ちジョブという）に係る情報を所定の発行待ちジョブリストに登録する発行待ちジョブ情報登録部を備え、前記発行待ちジョブ情報登録部で登録された前記発行待ちジョブのいずれかの前記発行処理が開始されると、前記発行中ジョブ情報管理部は、前記発行処理が開始された前記発行待ちジョブに係る前記情報を前記発行待ちジョブリストから読み込んで保存することを特徴とする。
【００１９】
この態様によれば、事前に作成された発行待ちジョブ情報を用いて、発行中ジョブ情報及び発行完了ジョブ情報を容易に作成することが可能となる。
【００２０】
本発明の他の態様にかかる発行ジョブ情報管理装置は、前記発行ジョブ情報処理部は、前記発行待ちジョブ情報登録部で登録された前記発行待ちジョブに係る情報と、前記発行完了ジョブ情報登録部で登録された前記発行完了ジョブに係る情報との、いずれか一方を選択して表示する選択表示手段を備えることを特徴とする。
【００２１】
この態様によれば、発行待ちジョブ情報と発行完了ジョブ情報とを簡単な操作で切り替えて表示させることが可能となり、完了ジョブの確認や各発行ジョブで使用される発行用デバイスの使用履歴等を容易に確認することが可能となる。
【００２２】
本発明の他の態様にかかる発行ジョブ情報管理装置は、前記発行ジョブ情報処理部は、前記発行完了ジョブに係る前記エラー情報が前記発行完了ジョブリストに登録されているときは、記発行待ちジョブ情報登録部で登録された前記発行待ちジョブに係る情報をもとに前記発行処理に必要な発行用デバイスを特定し、前記特定された発行用デバイスの情報とそれまでに実行済みの前記発行完了ジョブの前記発行完了ジョブリストに登録された情報とから、前記エラーの原因を判定して表示することを特徴とする。
【００２３】
この態様によれば、発行処理が未完了となった原因が、それまでの発行ジョブに起因するかどうかを容易に確認することが可能となる。
【００２４】
本発明の第１の態様にかかる発行ジョブ情報管理方法は、発行用デバイスを用いて空き記録媒体にデータ書き込み及びラベル印刷あるいはいずれか一方の発行処理を行って記録済みの記録媒体を発行する発行ジョブを管理する発行ジョブ情報管理方法であって、前記発行処理を実行中の前記発行ジョブである発行中ジョブに係る情報として、少なくとも前記発行処理に使用中の前記発行用デバイスの情報を保存するとともに、前記発行処理の完了前に前記発行用デバイスにエラーが発生するとそのエラー情報を保存する発行中ジョブ情報管理ステップと、前記発行中ジョブの前記発行処理が完了すると、これを発行完了ジョブとして前記発行中ジョブ情報管理ステップで保存された前記発行中ジョブに係る情報を所定の発行完了ジョブリストに登録する発行完了ジョブ情報登録ステップと、前記発行完了ジョブ情報登録ステップで登録された前記発行完了ジョブリストから、指定された前記発行完了ジョブに係る前記情報を読み出して表示する発行ジョブ情報処理ステップと、を有することを特徴とする。
【００２５】
この態様によれば、各発行ジョブの発行処理に使用される発行用デバイスの情報とエラー情報とが一体に保存され、ジョブ完了後に発行完了ジョブ情報登録部により発行完了ジョブリストに登録されて保存されることにより、発行処理が完了したジョブの履歴を表示することが可能となる。特に、エラーが発生したジョブについては、エラー情報とともに発行処理に使用されていた発行用デバイスの情報も表示することが可能となることから、発行処理が正常に終了したか否かを容易に判断できるとともに、エラーの原因究明も容易に行えるようになる。
【００２６】
本発明の他の態様にかかる発行ジョブ情報管理方法は、前記エラー情報には少なくとも前記エラーが発生した前記発行用デバイスの機器名とエラー種別を含み、前記発行ジョブ情報処理ステップでは、前記指定された発行完了ジョブに係る前記エラー情報が前記発行完了ジョブリストに登録されているときには、前記発行完了ジョブが完了した時点における前記発行用デバイスの作動状態を前記エラー種別に基づいて判定して表示することを特徴とする。
【００２７】
この態様によれば、エラーが発生した発行ジョブの完了後の発行用デバイスの状態を容易に確認できるようになることから、発生したエラー方のジョブにも影響するかどうかを容易に判断できるようになる。
【００２８】
本発明の他の態様にかかる発行ジョブ情報管理方法は、前記発行ジョブ情報処理ステップでは、前記発行処理のうち未完了の処理情報を前記エラー情報をもとに判定して表示することを特徴とする。
【００２９】
この態様によれば、エラー発生により発行処理を完了していない未完了情報を表示して容易に確認できるようにすることが可能となる。
【００３０】
本発明の他の態様にかかる発行ジョブ情報管理方法は、さらに、前記発行処理を実行待ちの前記発行ジョブである発行待ちジョブに係る情報を所定の発行待ちジョブリストに登録する発行待ちジョブ情報登録ステップを有し、前記発行待ちジョブ情報登録ステップで登録された前記発行待ちジョブのいずれかの前記発行処理が開始されると、前記発行中ジョブ情報管理ステップにおいて、前記発行処理が開始された発行待ちジョブに係る前記情報を前記発行待ちジョブリストから読み込んで保存することを特徴とする。
【００３１】
この態様によれば、事前に作成された発行待ちジョブ情報を用いて、発行中ジョブ情報及び発行完了ジョブ情報を容易に作成することが可能となる。
【００３２】
本発明の他の態様にかかる発行ジョブ情報管理方法は、前記発行ジョブ情報処理ステップでは、前記発行待ちジョブ情報登録ステップで登録された前記発行待ちジョブに係る前記情報と、前記発行完了ジョブ情報登録ステップで登録された前記発行完了ジョブに係る前記情報の、いずれか一方を選択して表示することを特徴とする。
【００３３】
この態様によれば、発行待ちジョブ情報と発行完了ジョブ情報とを簡単な操作で切り替えて表示させることが可能となり、完了ジョブの確認や各発行ジョブで使用される発行用デバイスの使用履歴等を容易に確認することが可能となる。
【００３４】
本発明の他の態様にかかる発行ジョブ情報管理方法は、前記発行ジョブ情報処理ステップでは、前記発行完了ジョブに係る前記エラー情報が前記発行完了ジョブリストに登録されているときは、記発行待ちジョブ情報登録ステップで登録された前記発行待ちジョブに係る情報をもとに前記発行処理に必要な発行用デバイスを判定し、前記特定された発行用デバイスの情報とそれまでに実行済みの前記発行完了ジョブの前記発行完了ジョブリストに登録された情報とから、前記エラーの原因を判定して表示することを特徴とする。
【００３５】
この態様によれば、発行処理が未完了となった原因が、それまでの発行ジョブに起因するかどうかを容易に確認することが可能となる。
【発明の効果】
【００３６】
以上説明したように、本発明によれば、少なくとも処理を完了した発行ジョブの処理結果を後から容易に確認できる発行ジョブ情報管理装置及び発行ジョブ情報管理方法を提供することが可能となる。
【発明を実施するための最良の形態】
【００３７】
図面を参照して本発明の好ましい実施の形態における記録情報作成装置及びその記録情報作成方法の構成について詳細に説明する。なお、同一機能を有する各構成部については、図示及び説明簡略化のため、同一符号を付して示す。
【００３８】
図１は本発明の一実施形態にかかる発行ジョブ情報管理装置及び発行ジョブ情報管理方法を用いて構成された光学記録媒体作成制御装置１０及びこれにより制御される記録媒体作成装置９０を示す。図１において、記録媒体作成制御装置１０は、ＰＣ又はサーバ等のホスト装置及びこれにインストールされているソフトウェアより構成されている。ＰＣ等のホスト装置１０は、ＣＰＵ、ＲＡＭ・ＲＯＭ等のメモリ、論理回路等のハードウェアと、各種ソフトウェアとから構成されており、Windows（登録商標）等の各種汎用ＯＳで動作可能である。記録媒体作成装置１０をより機能的なブロックに分解して説明すると、光学記録媒体を作成するための基本機能を提供するアプリケーション部２０と、アプリケーション部２０から受信したデータに従って、記録データや印刷データを作成し一時保存するデータ変換部３０と、データ変換部からの制御信号に基づいて光学記録媒体を作成するための一連の処理をスケジューリングし、各部の動作手順を制御する統合制御部４０と、記録媒体作成装置９０の動作を制御するための各種ドライバ及びＵＳＢインタフェース５４を含むデバイス制御部５０とから構成されている。
【００３９】
記録媒体作成装置９０は、ＵＳＢハブ９１及びこれに接続される２つのデータ記録装置９２、９３、記録媒体作成装置９０内の各部に光学記録媒体を搬送するオートローダ９４、及びラベルプリンタ９５を備えており、同時に２つの光学記録媒体に対して書込処理が可能である。データ記録部９２、９３及びプリンタ９５をより多く設けて、より多くの並列処理を可能にするように構成しても良い。データ書込が終了したら、プリンタ９５によりラベル印刷を行うことが可能である。光学記録媒体の各装置間の移動は、オートローダ９４により行われる。
【００４０】
始めに記録媒体作成制御装置１０の各部の機能を簡単に説明した上で、光学記録媒体の作成手順を説明する。まず、アプリケーション部２０は、データ記録を希望するデータファイルの指定、ラベル印刷内容や形式の指定等を行うためのユーザインタフェースを提供する。例えばセットアップ部２１は、記録媒体作成装置９０の仕様を初期設定する機能を提供し、モニター部２２は、作成する光学記録媒体の記録内容やラベル印刷の内容を表示して確認する機能を提供する。ディスク作成部２３は、ディスクエディタ部２５、パブリッシャ部２６及びラベルエディタ部２７を備えており、記録内容の編集、ラベル印刷の編集を行う。ラベル印刷の編集にはテンプレート部２４に記憶されているテンプレートを利用することが可能である。本実施形態にかかる記録情報作成装置は、光学記録媒体作成制御装置１０ではディスク作成部２３としてアプリケーション部２０内に一体に組み込まれた構成としている。
【００４１】
アプリケーション部２０により編集された内容はデータ変換部３０に出力され、ディスクライブラリ３１、グラフィックデバイスインターフェース（ＧＤＩ）６１及び画像処理部６３を介して、記録データ３２、及びラベルデータ３３として、一時記憶部３４にジョブが終了するまで一時記憶される。
【００４２】
統合制御部４０は、一時記憶部３４に記憶されているジョブを実行するために、各デバイスの処理手順を制御する。統合制御部は、一時記憶部に記憶された各ジョブを実行するための処理するための処理手順を決めるジョブスケジュールが生成される。ジョブスケジュールが生成されると、統合制御部４０は、生成したジョブスケジュールに従ってデバイス制御部５０を制御することにより、記録媒体作成装置９０の各装置（デバイス）９２〜９５の動作状況に応じて、それぞれのジョブごとに、各装置（デバイス）９２〜９５の動作を制御する。具体的には、各デバイスドライバ５１、５３及び印刷入出力制御部６２を制御することにより、ジョブ毎に未記録の光学記録媒体の取り出し、光学記録媒体の搬送、データ書込、ラベル印刷等の処理、記録済み光学記録媒体の搬送等を、各装置（デバイス）の動作が互いに干渉することなく実行できるように、各装置（デバイス）９２〜９５の動作を制御する。これにより、複数の光学記録媒体作成ジョブがリソースを効率に利用しながら混乱することなく順次遂行される。
【００４３】
次に図２を用いて、記録媒体作成装置９０における光学記録媒体の処理手順を説明する。図２は、記録媒体作成装置９０の各部の連携動作を説明するためのブロック図である。記録媒体作成装置９０は、未記録の光学記録媒体を収納する未使用記録媒体収納部と、記録の完了した書込済みの光学記録媒体を収納する書込済記録媒体収納部を備えている。図２の例では、未使用記録媒体９７ａを収納する２個の未使用記録媒体収納部９６ａ、９６ｂと書込済み光学記録媒体９７ｃを収納する２個の書込済み記録媒体収納部９６ｃ、９６ｄを備えている。
【００４４】
ジョブの開始は、（１）オートローダ９４により未使用記録媒体収納部９６ａ又は９６ｂから未使用記録媒体９７ａを取り出し、データ記録部１またはデータ記録部２のいずれかにセットすることから開始される。オートローダ９４は、光学記録媒体を収納部やデバイスから取り出して持ちあげ、記録媒体作成装置９０内の指定された各部へ搬送する機能を備えている。書込開始時に未使用光学記録媒体をいずれの収納部から取り出すかは、それぞれ優先順位をつけて先に取り出す方を決めておいても、オートローダ９４のピックアップキャリア（図示せず）の現在位置から近い方から取り出すように構成しても良い。尚、各収納部９６ａ〜９６ｄにはセンサが設けられており、収納部９６ａ〜９６ｄが空になった場合や満杯になった場合には検知できるように構成することが望ましい。
【００４５】
また、書込み処理を行うためにいずれのデータ記録部９２，９３を使用するかについては、そのときの動作状況によって異なる。いずれも使用可能な場合には、予め付与された優先順位により決められる。また、データ記録装置によって書込速度や密度が異なる場合、または書込方式が異なる場合には、指定された書込形式に対応したデータ記録装置が選択される。データ記録装置９２又は９３に未使用記録媒体９７ａがセットされると、統合制御部４０の制御に基づき、データ記録部ドライバ５１を介して、一時記憶部３４に記憶されている記録データが書き込まれて、データ書込のみが終了した光学記録媒体９７ｂとなる。
【００４６】
データ記録部９２又は９３によりデータ記録が完了すると、（２）オートローダのピックアップキャリアにより、データの書込が完了した光学記録媒体９７ｂがデータ記録部９２又は９３から取り出されて、プリンタ９５に搬送される。プリンタ９５では、光学記録媒体のラベル面にジョブで指定されたラベル印刷が実行される。プリンタ９５に光学記録媒体９７ｂがセットされると、統合制御部４０の制御に基づいて、印刷入出力制御部６２を介して、一時記憶部３４に記憶されているラベル印刷データが光学記録媒体のラベル面に印刷される。これにより、光学記録媒体はデータ書込及びラベル印刷の完了した光学記録媒体９７ｃとなる。
【００４７】
ラベル印刷が完了すると、（３）書込が完了しかつラベル印刷も完了した光学記録媒体９７ｃが、オートローダ９４のピックアップキャリアにより取り出されて、書込済み記録媒体収納部９６ｃ又は９６ｄまで搬送されて、収納される。
【００４８】
尚、上記説明では、データ書込後にラベル印刷をしてから、書込済み収納部９６ｃ又は９６ｄに搬送収納するジョブの例を示したが、ジョブによっては、データ書込が終わった時点でラベル印刷することなく書込収納部に搬送収納させることも可能である。
【００４９】
本発明の発行ジョブ情報管理装置は、ＣＤやＤＶＤ等の記録媒体に所定のデータを書き込んで発行する記録媒体発行ジョブに関し、その発行処理に係る情報を管理するのに好適な装置である。このような記録済みの記録媒体を発行するジョブでは、記録媒体にデータを書き込むためのデータ記録装置やラベル印刷を行うためのプリンタ等の発行用デバイスが用いられており、本発明の発行ジョブ情報管理装置では、記録媒体の発行に用いられた発行用デバイスの種類や作動状態等の情報についても、各発行ジョブの管理の中で扱えるようにしている。
【００５０】
以下では、本発明の実施の形態に係る発行ジョブ情報管理装置を、図３に示すブロック図を用いて詳細に説明する。本実施形態の発行ジョブ情報管理装置１００は、発行ジョブ情報処理部１１０、発行待ちジョブ情報登録部１２０、発行中ジョブ情報管理部１３０、発行完了ジョブ情報登録部１４０、及び表示部１５０から構成されている。
【００５１】
発行待ちジョブ情報登録部１２０は、発行処理を実行する順番待ちのジョブに係る情報を管理しており、この情報を発行待ちジョブリスト１２１に登録して管理している。発行待ちジョブの情報としては、発行待ちジョブを識別するジョブＩＤ、発行される記録媒体の枚数、発行処理の種別（データの書き込み、ラベル印刷、及びその両方）、記録済み記録媒体の排出先（スタッカの番号）、予想処理時間等がある。
【００５２】
また、発行中ジョブ情報管理部１３０は、発行処理を実行中のジョブ（発行中ジョブ）に係る情報を管理しており、発行処理に使用している発行用デバイスの情報や、エラーが発生したときのエラー情報等を保存している。これに加えて、発行待ちジョブ情報登録部１２０で登録されていた当該ジョブに係る情報を保存しておくようにしてもよい。
【００５３】
発行完了ジョブ情報登録部１４０は、発行中ジョブの発行処理が完了すると、これを発行完了ジョブとして、発行中ジョブ情報管理部１３０で保存されていた当該ジョブに係る情報を発行完了ジョブリスト１４１に登録する。発行完了ジョブリスト１４１に登録される情報として、ジョブＩＤ、発行済み記録媒体の枚数、発行処理の種別、記録済み記録媒体の排出先（スタッカの番号）、発行処理に使用された発行用デバイス、エラー情報等が含まれる。
【００５４】
これらの情報は、発行待ちジョブ情報登録部１２０で登録されていた情報と、発行中ジョブ情報管理部１３０で保存されていた情報とで構成されており、それぞれから入力して登録する。なお、発行中ジョブ情報管理１３０が発行待ちジョブ情報登録部１２０で登録されていた情報を保存するようにしている場合には、上記の情報を発行中ジョブ情報管理部１３０から一括入力して発行完了ジョブリスト１４１に登録させることができる。
【００５５】
発行ジョブ情報処理部１１０は、ユーザからの要求に従って、発行待ちジョブ情報登録部１２０あるいは発行完了ジョブ情報登録部１４０で登録された情報を表示部１５０に表示させる。発行待ちジョブ情報登録部１２０で登録された情報を表示部１５０に表示させた画面２１０の例を図４に、また発行完了ジョブ情報登録部１４０で登録された情報を表示部１５０に表示させた画面２２０の例を図５に、それぞれ示す。
【００５６】
図４及び図５に示すように、画面２１０及び画面２２０には、発行待ちジョブの情報表示を選択するためのボタン２０１と、発行完了ジョブの情報表示を選択するためのボタン２０２とが設けられている。発行ジョブ情報処理部１１０は、選択ボタン２０１又は２０２が選択されたときの処理を行う選択表示手段１１１を備えており、いずれかの選択ボタンが選択されると、選択表示手段１１１が画面２１０と画面２２０のいずれが選択されたかを判定し、これに基づいて画面２１０又は画面２２０の表示データを作成して表示部１５０に表示させる。
【００５７】
具体的には、選択ボタン２０１が選択されると、選択表示手段１１１が画面２１０の表示要求を受けたことを判定する。発行ジョブ情報処理部１１０は、選択表示手段１１１から画面２１０の要求通知を入力すると、発行待ちジョブリスト１２１に登録されているジョブ情報を読み出して画面２１０のリスト表示部２１１に表示させる。また、リスト表示部２１１に表示されている発行待ちジョブのいずれかが選択されると、選択された発行待ちジョブが現在の発行用デバイスの作動状態において処理可能かを判定し、判定結果をメッセージ表示部２１２に表示する。発行待ちジョブリスト１２１には、各発行待ちジョブの発行処理種別や記録済み記録媒体の排出先等が登録されており、これらの情報をもとに発行処理に必要な発行用デバイスを判定し、現在の発行用デバイスの作動状態と比較することで、発行処理が実行可能かを判定することができる。現在の発行用デバイスの作動状態は、例えば統合制御部４０から入力して状態表示部２１３に表示させる。
【００５８】
発行待ちジョブ情報表示画面２１０のデータを作成するための上記の処理内容を、図６に示す流れ図を用いて以下に説明する。まず、図６（ａ）において、選択ボタン２０１が選択されると、選択表示手段１１１が画面２１０の表示が要求されたことを判定し（ステップＳ１１）、発行ジョブ情報処理部１１０が、発行待ちジョブリスト１２１に登録されている情報を読み出して画面２１０のリスト表示部２１１の表示情報を作成する（ステップＳ１２）。また、このときの発行用デバイスの作動状態を統合制御部４０から入力し、これを状態表示部２１３に表示する(ステップＳ１３)。
【００５９】
次に、図６（ｂ）において、リスト表示部２１１に表示された発行待ちジョブのいずれかが選択されたことをステップＳ２１で判定すると、選択された発行待ちジョブの処理種別の情報から、発行処理に必要な発行用デバイスを判定する（ステップＳ２２）。例えば、発行種別が単に発行となっている場合には、データ書き込みとラベル印刷の両方の処理を行うことから、発行用デバイスとしてデータ記録装置９２又は９３とプリンタ９５が必要と判定する。
【００６０】
次のステップＳ２３では、ステップＳ２２で発行処理に必要と判定された発行用デバイスを状態表示部２１３に表示されている発行用デバイス情報と比較し、当該発行待ちジョブに必要な発行用デバイスが使用可能かを判定する。必要な発行用デバイスの中に使用できないものがある場合には、ステップＳ２４で使用不可の発行用デバイス情報をメッセージ表示部２１２に表示する。
【００６１】
一方、当該発行ジョブの処理に必要な発行用デバイスが全て使用可能な場合には、ステップＳ２５で必要なスタッカを確保できるかを判定する。すなわち、いずれかのスタッカに必要な枚数の空きディスクが確保されているか、及び排出先スタッカが確保できるかを判定する。その結果、必要な枚数の空きディスクを確保できない、あるいは排出先スタッカが確保できない場合には、ステップＳ２６で不足する内容をメッセージ表示部２１２に表示する。
【００６２】
また、ともに必要なスタッカが確保されている場合には、ステップＳ２７で発行処理可能とのメッセージをメッセージ表示部２１２に表示する。
【００６３】
次に、選択ボタン２０２が選択された場合には、選択表示手段１１１が画面２２０の表示要求受けたことを判定する。発行ジョブ情報処理部１１０は、選択表示手段１１１から画面２２０の要求通知を入力すると、発行完了ジョブリスト１４１に登録されているジョブ情報を読み出して画面２２０のリスト表示部２２１に表示させる。また、リスト表示部２２１に表示されている発行完了ジョブのいずれかが選択されると、選択された発行完了ジョブの処理結果がメッセージ表示部２２２に表示される。なお、状態表示部２２３には、現在の発行用デバイスの状態が表示されている。
【００６４】
上記のように、発行待ちジョブ情報表示用画面２１０と発行完了ジョブ情報表示用画面２２０のそれぞれに選択ボタン２０１及び２０２を設けることにより、簡単なボタン操作で発行待ちジョブ情報の表示画面２１０と発行完了ジョブ情報の表示２２０とを切り替えて表示させることが可能となり、完了ジョブの確認や各発行ジョブで使用された発行用デバイスの使用履歴等を容易に確認することが可能となる。
【００６５】
発行待ちジョブ情報登録部１２０で登録された発行待ちジョブのいずれかに対し、発行処理の実行が選択されたときの処理について以下に説明する。ここでは、発行待ちジョブのいずれかが選択されると、発行中ジョブ情報処理部１３０が、選択された発行待ちジョブに係る情報を発行待ちジョブリスト１２１から読み込んで保存するものとする。発行処理を開始するジョブの情報が発行待ちジョブリスト１２１から容易に入手できることから、発行中ジョブ情報を作成する手間が大幅に軽減される。発行待ちジョブのいずれかを選択して実行を開始させる処理は、図１に示す統合制御部４０で行わせることができる。発行中ジョブ情報処理部１３０は、統合制御部４０から選択されたジョブの情報を入力することで、上記の処理を行うことができる。また、発行中ジョブ情報処理部１３０は、発行処理に用いられる発行用デバイスの情報を統合制御部４０から入力し、これを上記の発行待ちジョブリスト１２１から読み込んだ情報とともに保存する。
【００６６】
一方、発行ジョブ情報処理部１１０は、統合制御部４０から発行処理の開始を選択された発行待ちジョブの情報を入力すると、この発行待ちジョブに対し、画面２１０のリスト表示部２１１の状態表示欄の表示内容を、「処理待ち」から「処理中」に変更する。
発行中ジョブの処理が完了すると、発行ジョブ情報処理部１１０は、統合制御部４０から発行中ジョブの発行処理が完了したとの通知を受ける。これにより、発行ジョブ情報処理部１１０は、発行中ジョブ情報処理部１３０が保存していた情報を発行完了ジョブ情報登録部１４０に転送し、発行完了ジョブ情報登録部１４０が転送された情報を発行完了ジョブリスト１４１に登録する。また、発行ジョブ情報処理部１１０は、発行待ちジョブ情報登録部１２０に対し、発行処理を完了したジョブを発行待ちジョブリスト１２１から削除させる。
【００６７】
このように本実施形態の発行ジョブ情報管理装置１００によれば、発行待ちジョブ情報登録部１２０で登録された発行ジョブの情報が、発行中ジョブ情報処理部１３０及び発行完了ジョブ情報登録部１４０に転送され、発行完了ジョブ情報登録部１４０で発行完了ジョブリスト１４１に登録されることから、発行完了ジョブリスト１４１には発行処理された情報が確実に保存されることになる。
【００６８】
発行待ちジョブに対し発行処理開始が選択されたときの上記の処理の流れを、図７に示す流れ図を用いて以下に詳細に説明する。まず図７（ａ）において、統合制御部４０で発行待ちジョブのいずれかが選択されると（ステップＳ３１）、発行ジョブ情報処理部１１０が統合制御部４０から処理開始ジョブのジョブＩＤを入力するとともに、当該ジョブＩＤを発行中ジョブ情報処理部１３０に通知する（ステップＳ３２）。続いてステップＳ３３では、発行ジョブ情報処理部１１０が表示画面２１０のリスト表示部２１１に表示されている当該ジョブの状態を「処理待ち］から「処理中」に変更する。
【００６９】
また、発行中ジョブ情報処理部１３０は、発行ジョブ情報処理部１１０から処理開始ジョブのジョブＩＤを入力すると、発行待ちジョブリスト１２１から当該ジョブＩＤに相当する発行待ちジョブの情報を入力する（ステップＳ３４）とともに、統合制御部４０から発行処理に使用される発行用デバイス情報を入力する（ステップＳ３５）。
【００７０】
次に、図７（ｂ）において、発行中ジョブの処理が完了すると、発行ジョブ情報処理部１１０が統合制御部４０から処理完了通知を入力する（ステップＳ４１）。発行ジョブ情報処理部１１０は、処理完了通知を入力すると、発行中ジョブ情報処理部１３０が保存していた情報を発行完了ジョブ情報登録部１４０に転送する（ステップＳ４２）。これにより、発行完了ジョブ情報登録部１４０は、発行中ジョブ情報処理部１３０から転送された情報を発行完了ジョブリスト１４１に登録する（ステップＳ４３）。また、発行ジョブ情報処理部１１０は、発行待ちジョブ情報登録部１２０に対し当該ジョブの削除を要求し、発行待ちジョブ情報登録部１２０が当該ジョブの情報を発行待ちジョブリスト１２１から削除する（ステップＳ４４）。
【００７１】
次に、発行中ジョブの処理の途中で発行用デバイス等にエラーが発生したときの処理について説明する。発行中ジョブ情報管理部１３０は、発行処理の実行中に発行用デバイスに何らかのエラーが発生すると、そのエラー情報を例えば統合制御部４０から入力して保存する。発行中ジョブ情報管理部１３０で保存するエラー情報として、少なくともエラーが発生した発行用デバイスの機器名とエラー種別を含む。エラー情報の１例を図８に示す。
【００７２】
エラーが発生したときの発行中ジョブの処理が完了又は中断すると、発行ジョブ情報処理部１１０は、統合制御部４０から発行中ジョブの発行処理が完了又は中断したとの通知を受ける。これにより、発行ジョブ情報処理部１１０は、発行中ジョブ情報処理部１３０が保存していた情報を発行完了ジョブ情報登録部１４０に転送し、発行完了ジョブ情報登録部１４０が転送されてきた情報を発行完了ジョブリスト１４１に登録する。発行中ジョブ情報処理部１３０から発行完了ジョブ情報登録部１４０に転送される情報には上記のエラー情報が含まれており、これが他の情報とともに完了ジョブリスト１４１に登録される。
【００７３】
発行完了ジョブ情報表示用画面２２０のリスト表示部２２１に表示されている発行完了ジョブのいずれかが選択されると、発行ジョブ情報処理部１１０は、選択されたジョブの情報を発行完了ジョブリスト１４１から読み込む。このとき、読み込んだ情報にエラー情報が含まれている場合には、当該ジョブが完了又は中断した時点における発行用デバイスの状態をエラー種別に基づいて判定し、その結果をメッセージ表示部２２２に表示させるようにすることができる。
【００７４】
エラー情報を発行完了ジョブ情報表示用画面２２０に表示させるようにした例を図９に示す。図９では、ディスク書き込みエラーが発生したときのエラー情報をメッセージ表示部２２２に表示させた画面２２０の例を示している。このようなエラー情報を提供することにより、当該ジョブが完了又は中断したときの発行用デバイス状態を容易に確認できるようになるとともに、発生したエラーが他のジョブにも影響するかどうかを容易に判断することが可能となる。
【００７５】
また、発行完了ジョブ情報登録部１４０において、発行完了ジョブリスト１４１にエラー情報が登録されている発行完了ジョブに対し、処理すべき内容のうち未完了の処理内容をエラー情報から判定し、これを発行完了ジョブリスト１４１に登録するようにしてもよい。これにより、発行ジョブ情報処理部１１０が、未完了情報をメッセージ表示部２２２に表示させることが可能となり、追加処理が必要か等の判断を容易に行えるようになる。
【００７６】
なお、上記では状態表示部２２３に最新の発行用デバイスの状態を表示させるようにしているが、リスト表示部２２１に表示されている発行完了ジョブのいずれかが選択されたとき、少なくとも選択された発行完了ジョブでエラーが発生している場合には、選択されたジョブの完了時点における発行用デバイスの作動状態をエラー情報等に基づいて判定し、その結果を状態表示部２２３に表示させるようにしてもよい。
【００７７】
本発明の発行ジョブ情報管理装置の別の実施形態として、発行完了ジョブ情報登録部１４０により発行完了ジョブリスト１４１に登録されたジョブ情報から、当該ジョブの発行処理に必要であった発行用デバイスを判定させることが可能である。特に、エラー情報が登録されている発行完了ジョブに対しては、発行処理に必要であったデバイスを判定することで、それまでに完了している他のジョブの情報を用いて、当該ジョブのエラーの原因を判定させることが可能となる。
【００７８】
すなわち、発行完了ジョブ情報表示用画面２２０のリスト表示部２２１に表示されている発行完了ジョブのいずれかが選択され、選択されたジョブの情報にエラー情報が登録されている場合には、発行ジョブ情報処理部１１０は、選択されたジョブの登録情報から発行処理に必要であった発行用デバイスを判定し、これをそれまでに実行された発行完了ジョブの発行用デバイス情報と対比させることで、エラーの原因を判定して表示させるようにすることが可能となる。
【００７９】
一例として、選択された発行完了ジョブのエラー情報として、空きディスクの不足が登録されていた場合、それ以前に完了した発行完了ジョブの登録情報を調べ、例えばディスクの書き込みエラーが頻繁に発生していた発行ジョブが確認できたとする。これにより、このジョブで予定されていた以上に空きディスクが消費されたことにより、空きディスクの不足が発生したと判定することが可能となる。
【００８０】
上記の通り、本発明に係る発行ジョブ情報管理装置及びその管理方法によれば、処理を完了した発行ジョブについても、処理状況を後から容易に確認することが可能となり、特にエラーが発生したジョブの処理状況及びエラー原因を容易に確認することが可能となる。
【００８１】
なお、本実施の形態における記述は、本発明に係る発行ジョブ情報管理装置及びその管理方法の一例を示すものであり、これに限定されるものではない。本実施の形態における発行ジョブ情報管理装置及びその管理方法の細部構成及び詳細な動作等に関しては、本発明の趣旨を逸脱しない範囲で適宜変更可能である。
【図面の簡単な説明】
【００８２】
【図１】本発明の実施形態に係る光学記録媒体作成制御装置及びこれにより制御される記録媒体作成装置を示す機能ブロック図である。
【図２】記録媒体作成装置の各部の連携動作を説明するためのブロック図である。
【図３】本発明の実施形態に係る発行ジョブ情報管理装置を示すブロック図である。
【図４】発行待ちジョブ情報の表示画面の例を示す図である。
【図５】発行完了ジョブ情報の表示画面の例を示す図である。
【図６】発行待ちジョブ情報表示画面の表示データを作成する手順を示す流れ図である。
【図７】発行待ちジョブが発行処理開始を選択されたときの処理の流れを示す流れ図である。
【図８】エラー情報の１例を示す図である。
【図９】エラー情報を表示した発行完了ジョブ情報表示用画面の例を示す図である。
【符号の説明】
【００８３】
１０  記録媒体作成制御装置                ２０  アプリケーション部
２３  ディスク作成部                      ２５  ディスクエディタ部
２６  パブリッシャ部                      ２７  ラベルエディタ部
３０  データ変換部                        ４０  処理制御部
５０  デバイス制御部                      ６０  プリンタドライバ
１００  発行ジョブ情報管理装置            １１０  発行ジョブ情報処理部
１２０  発行待ちジョブ情報登録部          １２１  発行待ちジョブリスト
１３０  発行中ジョブ情報管理部            １４０  発行完了ジョブ情報登録部
１４１  発行完了ジョブリスト              ２０１、２０２  選択ボタン
２１０  発行待ちジョブ情報表示画面        ２１１，２２１  リスト表示部
２１２，２２２  メッセージ表示部          ２１３，２２３  状態表示部
２２０  発行完了ジョブ情報表示画面
【図１】
2008171102.tif 000003
【図２】
2008171102.tif 000004
【図３】
2008171102.tif 000005
【図４】
2008171102.tif 000006
【図５】
2008171102.tif 000007
【図６】
2008171102.tif 000008
【図７】
2008171102.tif 000009
【図８】
2008171102.tif 000010
【図９】
2008171102.tif 000011